(57)【要約】本発明は通信ネットワークを通じて発給される有価証券及び証明書類の偽／変造防止方法及び認証コードを具備した身分証明書、金融カード、医療保険カードに関する。さらに詳しくは、インターネット、ＡＲＳサービス等の通信ネットワークを利用して各種の有価証券（宝籤、商品券、チケット等）、証明書を発給するかまたは身分証明書、金融カード、医療保険カード等を発給するにおいて、所有権者及び発給物の識別のために必要な情報を暗号コード化し、これを発行物に付着発給することにより、発行物に対する不法使用及び不法造作を防止できる通信ネットワークを通じて発給される有価証券及び証明書類の偽／変造防止方法及び認証コードを具備した身分証明書、金融カード、医療保険カードに関するものである。【選択図】図１
2004526235.tif 000002
【特許請求の範囲】
【請求項１】
インターネット又はＡＲＳ網を含む通信ネットワークを利用して有価証券を使用者に発給し、その流通に伴う真偽如何を認証する方法において、
有価証券発行システムが通信ネットワークを通じて使用者から発行対象有価証券及び所有権者に対する所定の情報を入手し、有価証券の発給要請を受ける段階；
前記有価証券発行システムがオンライン金融機関を通じて前記有価証券の発行代金を使用者から決済処理する段階；
前記有価証券の唯一性及び所有権者の識別のため、必要な所定の情報を暗号コード化してこれを含む有価証券を使用者に発給し、有価証券及び所有権者に対する情報をデータベース化する段階；
使用者が前記発給された有価証券を通信ネットワークを通じて出力する段階；及び
使用者が前記出力された有価証券を使用受付けることにより、有価証券受付けシステムは前記有価証券のコードを認識し、前記有価証券発行システムとコンピュータネットワークを通じて連係され、その所有権者及び有価証券の真偽如何を認証する段階；を
含むことを特徴とする通信ネットワークを通信ネットワーク通じて発給される有価証券の偽／変造防止方法。
【請求項２】
請求項１において、前記有価証券発行システムが抽籤型有価証券を発行する場合、前記有価証券発行システムが所定の抽籤方式により当籤者を抽籤しこれに対する情報をデータベース化する段階；
使用者が当籤金払戻のため、前記抽籤型有価証券を受付けるに従い、有価証券受付システムは前記抽籤型有価証券のコードを認識し、前記有価証券発行システムとコンピュータネットワークを通じて連係され当籤如何及び有価証券の真偽如何を認証する段階；及び
当籤者及び有価証券が正当であると判別されるに従い、該当当籤金を使用者に支払処理する段階；をさらに含むことを特徴とする通信ネットワークを通じて発給される有価証券の為／変造防止方法。
【請求項３】
請求項１又は請求項２において、前記有価証券発行システムは、前記有価証券に対する暗号コード情報をインターネット切手の暗号コードに内蔵して、インターネット切手を発行し、使用者が有価証券の所有権を該当郵便物の発送者又は受信者に指定することにより、これに対する情報をインターネット切手のコードに内蔵することを特徴とする通信ネットワークを通じて発給される有価証券の偽／変造防止方法。
【請求項４】
インターネット又はＡＲＳ網を含む通信ネットワークを利用して証明書を使用者に発給し、その流通に伴う真偽如何を認証する方法において、
証明書発行システムが通信ネットワークを通じて使用者から発行対象証明書及び使用者に対する所定の情報を入手し、証明書の発給の要請を受ける段階；
前記証明書発行システムがオンライン金融機関を通じて前記証明書の発行代金を使用者から決済処理する段階；
前記証明書の主要証明内容及び使用者情報を暗号コード化し、これを含む証明書を使用者に発給する段階；
使用者が前記発給された証明書を通信ネットワークを通じて出力する段階；及び使用者が前記出力された証明書をその使用処に提示することにより、証明書受付システムは前記証明書のコードを認識して前記証明書発行システムと連係され、その真偽如何を確認し、コード情報と文字記載情報を相互比較してその正当性如何を判別する段階；を
含むことを特徴とする通信ネットワークを通じて発給される証明書の偽／変造防止方法。
【請求項５】
身分証明書に対する使用者情報と使用者の生体情報を暗号化するコードが付着されることを特徴とする認証コードを具備した身分証明書。
【請求項６】
使用者情報、取引金融口座情報、及び使用者生体情報を暗号化するコードを蒸着して発給され、その使用者コード認識手段により、コード情報が解読されその解読システムを通じてその真偽如何を確認し、コードに内蔵された生体情報と使用者から直接入手される使用者生体情報を相互比較してその真偽如何が判別されることを特徴とする認証コードを具備した金融カード。
【請求項７】
使用者情報、カード情報、及びバージョン情報を含めて暗号コードを生成し、これを付着発給することを特徴とする認証コードを具備した医療保険カード。
【発明の詳細な説明】
【技術分野】
【０００１】
本発明は通信ネットワークを通じて発給される有価証券及び証明書類の偽／変造防止方法及び認証コードを具備した身分証明書、金融カード、医療保険カードに関するものにして、さらに詳しくはインターネット、ＡＲＳサービス等の通信ネットワークを利用して各種の有価証券（宝籤、商品券、チケット等）、証明書を発給するかまたは身分証明書、金融カード、医療保険カード等を発給するにおいて、所有権者及び発給物の識別のために必要な情報を暗号コード化し、これを発行物に付着発給することにより、発行物に対する不法使用及び不法造作を防止できる通信ネットワークを通じて発給される有価証券及び証明書類の偽／変造防止方法及び認証コードを具備した身分証明書、金融カード、医療保険カードに関するものである。
【背景技術】
【０００２】
最近コンピュータ処理及び通信ネットワーク技術が発達し、インターネットが活性化され、その使用人口が増加するに従い、インターネット又はＡＲＳ自動応答サービス等を利用した宝籤、馬券、等の有価証券、及び各種証明書類（卒業証明書、成績証明書等）に対するオンラインサービスが施行される時点にある。
この様なオンラインを通じた有価証券の発給サービスは時間又は空間的な制約を受けず使用者の都合に従い、容易に発給申請することができ、特に、抽籤／当籤型有価証券（宝籤、馬券、各種幸運券）の場合、その抽籤番号を使用者が直接選択可能となることにより、使用者の選択幅を広くでき、発行機関としては紙面上の発行に伴う発行費用が節減できる等、多くの長点を有していた。
【０００３】
しかしながら、このような長点等にも拘らずオンライン（インターネット、その他の通信網）を通じて使用者（使用者コンピュータ）に宝籤等の有価証券又は証明書類を直接発給して提供する場合、使用者がコンピュータの処理技術を利用してその内容に対する不法造作（抽籤番号又はその証明内容の変更等）が可能であり、宝籤又は証明書の受付者がその正当性如何の確認が容易で無いことから、このような宝籤又は証明書をオンラインを通じて、使用者コンピュータ等で直接発給提供を施行するには難しさがある。
【０００４】
従って、従来の宝籤、馬券等に対するオンラインサービスはオンライン（ウェブ又はＡＲＳ）上で使用者より宝籤等に対する申請、受付のみを施行していて、少量の申請に対してはウェブ管理者等が代理購買（保管）した後当籤した場合、その宝籤等を使用者へ配送し、大量申請の場合には該当宝籤等を購買するか、又は発行して依頼者に郵便、宅配等で送り届けるのが現状である。
【０００５】
さらに、学校、役所等が学生又は市民のためのに施行しようとする住民登録謄／抄本、印鑑証明書、納税証明書、卒業／学位証明書等の各種証明書類に対するオンライン発給サービスの場合にも、その証明内容に対する不法的な調査、情報漏洩等の恐れのため、現在までは電話（ＡＲＳ）、インターネット等を通じて証明書の種類、発給枚数等に対する発給要請を更け、該当証明書を郵便物等を通じて依頼者に直接送り届ける水準にとどまっている。このような従来のオンライン発行サービスは真のオンラインサービスと見なし難く、単に、使用者へ発給要請に対する便利性を提供するのみで、郵便物配送に伴う発給時間の遅延及び配送費の負担等の問題点を有している。
さらに、従来の紙面上で提供される宝籤、馬券、商品券等の有価証券と証明書等は紛失又は毀損等により、再発給が要求される不都合があった。
【０００６】
一方、住民登録証、運転免許証、旅券等の各種身分証明書と金融カードの場合、特にその内容の真偽如何を確認する手段が設けられていないことから、不法造作又は偽、変造等が頻繁に発生しており、特に従来のクレジットカードは使用者の真偽如何の判別手段として、単に署名手段、写真情報のみを使用することから使用者を判別するには限界を有しており、これを盗難又は紛失した場合被害者は莫大な経済的損失を被る等の問題点があった。
さらに、従来の医療保険カードの場合、医療機関（病院等）が患者に対する医療行為を虚偽報告して医療保険公団から不法的に医療費を請求する等の事例が頻繁に発生し、医療保険公団としてはこのような不法医療機関を効率的に索出できないのが現状である。
【特許文献１】
特願平１０−２４３１１８号明細書
【特許文献２】
特願２０００−２９３７３９号明細書
【特許文献３】
韓国特許出願２０００−００３７３５０号明細書
【特許文献４】
韓国特許出願２０００−００４９３５９号明細書
【特許文献５】
韓国特許出願２０００−００００７４７号明細書
【発明の開示】
【発明が解決しようとする課題】
【０００７】
本発明は上述した問題点を解決するために案出したものにして、本発明の目的はインターネット等の通信ネットワークを通じて発給される各種の有価証券及び証明書類に対する不法的な反復使用及びその内容の偽造を遮断し、オンラインを通じて直接的な発給サービスの活性化を図り得る、通信ネットワークを通じて発給される有価証券及び証明書類の偽／変造防止方法を提供するのである。
本発明の他の目的は身分証明書、金融カード、及び医療保険カードに対する不法的な造作を防止し、不法使用又は盗用を遮断し得る認証コードを具備した身分証明書、金融カード、及び医療保険カードを提供するのである。
【課題を解決するための手段】
【０００８】
このような目的を達成するために、本発明に伴う通信ネットワークを通じて発給される有価証券の偽／変造防止方法はインターネット又はＡＲＳ網を含む通信ネットワークを利用して、有価証券を使用者に発給し、その流通に伴う真偽如何を認証する方法において、有価証券発行システムが通信ネットワークを通じて使用者から発行対象有価証券及び所有権者に対する所定の情報を入手し、有価証券の発給要請を受ける段階；
前記有価証券発行システムがオンライン金融機関を通じて、前記有価証券の発行代金を使用者から決済処理する段階；前記有価証券の唯一性及び所有権者の識別のため、必要な所定の情報を暗号コード化し、これを含む有価証券を使用者に発給し、有価証券及び所有権者に対する情報をデータベース化する段階；
使用者が前記発給された有価証券を通信ネットワークを通じて出力する段階；及び使用者が前記出力された有価証券を使用、受付けるに従い有価証券受付システムは前記有価証券のコードを認識して、前記有価証券発行システムとコンピュータネットワークを通じて連結され、その所有権者及び有価証券の真偽如何を認証する段階；とを含むことを特徴とする。
【０００９】
さらに、本発明に伴う通信ネットワークを通じて発給される証明書の偽／変造防止方法はインターネットまたはＡＲＳ網を含む通信ネットワークを利用して証明書を使用者に発給し、その流通に伴う真偽如何を認証する方法において、証明書発行システムが通信ネットワークを通じて使用者から発行対象証明書及び使用者に対する所定の情報を入手して証明書の発給を要請する段階；前記証明書発行システムがオンライン金融機関を通じて前記証明書の発給代金を使用者から決済処理する段階；
前記証明書の主要証明内容及び使用者情報を暗号コード化し、これを含む証明書を使用者に発給する段階；使用者が前記発給された証明書を通信ネットワークを通じて出力する段階；及び使用者が前記出力された証明書をその使用処に提示することにより、証明書受付システムは前記証明書のコードを認識し、前記証明書発行システムと連結されその真偽如何を確認し、コード情報と文字記載情報とを相互比較してその正当性如何を判別する段階；を含むことを特徴とする。
【００１０】
さらに、本発明の他の目的のために、本発明に伴う認証コードを具備した身分証明書は身分証明書に対する使用者情報と使用者の生体情報を暗号化したコードが付着されることを特徴とする。
さらに、本発明に伴う認証コードを具備した金融カードは使用者情報、取引金融口座情報、及び使用者の生体情報を暗号化するコードを蒸着して発給し、その使用時コード認識手段により、コード情報が解読されその発行システムを通じてその真偽如何を確認し、コードに内意された生体情報と使用者から直接入手される使用者生体情報を相互比較してその真偽如何が判別されることを特徴とする。
【００１１】
さらに、本発明に伴う認証コードを具備した医療保険カードは使用者情報、カード情報、及びバージョン情報を含み暗号コードを生成し、これを付着発給することを特徴とする。
【００１２】
すなわち、本発明は以下に述べる特徴を有する。
請求項１に記載した本発明にかかる通信ネットワークを通信ネットワーク通じて発給される有価証券の偽／変造防止方法は、
インターネット又はＡＲＳ網を含む通信ネットワークを利用して有価証券を使用者に発給し、その流通に伴う真偽如何を認証する方法において、
有価証券発行システムが通信ネットワークを通じて使用者から発行対象有価証券及び所有権者に対する所定の情報を入手し、有価証券の発給要請を受ける段階；
前記有価証券発行システムがオンライン金融機関を通じて前記有価証券の発行代金を使用者から決済処理する段階；
前記有価証券の唯一性及び所有権者の識別のため、必要な所定の情報を暗号コード化してこれを含む有価証券を使用者に発給し、有価証券及び所有権者に対する情報をデータベース化する段階；
使用者が前記発給された有価証券を通信ネットワークを通じて出力する段階；及び
使用者が前記出力された有価証券を使用受付けることにより、有価証券受付けシステムは前記有価証券のコードを認識し、前記有価証券発行システムとコンピュータネットワークを通じて連係され、その所有権者及び有価証券の真偽如何を認証する段階；を
含むことを特徴とする。
【００１３】
請求項２に記載した本発明にかかる通信ネットワークを通じて発給される有価証券の為／変造防止方法は、
請求項１において、前記有価証券発行システムが抽籤型有価証券を発行する場合、前記有価証券発行システムが所定の抽籤方式により当籤者を抽籤しこれに対する情報をデータベース化する段階；
使用者が当籤金払戻のため、前記抽籤型有価証券を受付けるに従い、有価証券受付システムは前記抽籤型有価証券のコードを認識し、前記有価証券発行システムとコンピュータネットワークを通じて連係され当籤如何及び有価証券の真偽如何を認証する段階；及び
当籤者及び有価証券が正当であると判別されるに従い、該当当籤金を使用者に支払処理する段階；をさらに含むことを特徴とする。
【００１４】
請求項３に記載した本発明にかかる通信ネットワークを通じて発給される有価証券の偽／変造防止方法は、
請求項１又は請求項２において、前記有価証券発行システムは、前記有価証券に対する暗号コード情報をインターネット切手の暗号コードに内蔵して、インターネット切手を発行し、使用者が有価証券の所有権を該当郵便物の発送者又は受信者に指定することにより、これに対する情報をインターネット切手のコードに内蔵することを特徴とする。
【００１５】
請求項４に記載した本発明にかかる通信ネットワークを通じて発給される証明書の偽／変造防止方法は、
インターネット又はＡＲＳ網を含む通信ネットワークを利用して証明書を使用者に発給し、その流通に伴う真偽如何を認証する方法において、
証明書発行システムが通信ネットワークを通じて使用者から発行対象証明書及び使用者に対する所定の情報を入手し、証明書の発給の要請を受ける段階；
前記証明書発行システムがオンライン金融機関を通じて前記証明書の発行代金を使用者から決済処理する段階；
前記証明書の主要証明内容及び使用者情報を暗号コード化し、これを含む証明書を使用者に発給する段階；
使用者が前記発給された証明書を通信ネットワークを通じて出力する段階；及び使用者が前記出力された証明書をその使用処に提示することにより、証明書受付システムは前記証明書のコードを認識して前記証明書発行システムと連係され、その真偽如何を確認し、コード情報と文字記載情報を相互比較してその正当性如何を判別する段階；を
含むことを特徴とする。
【００１６】
請求項５に記載した本発明にかかる認証コードを具備した身分証明書は、
身分証明書に対する使用者情報と使用者の生体情報を暗号化するコードが付着されることを特徴とする。
【００１７】
請求項６に記載した本発明にかかる認証コードを具備した金融カードは、
使用者情報、取引金融口座情報、及び使用者生体情報を暗号化するコードを蒸着して発給され、その使用者コード認識手段により、コード情報が解読されその解読システムを通じてその真偽如何を確認し、コードに内蔵された生体情報と使用者から直接入手される使用者生体情報を相互比較してその真偽如何が判別されることを特徴とする。
【００１８】
請求項７に記載した認証コードを具備した医療保険カードは、
使用者情報、カード情報、及びバージョン情報を含めて暗号コードを生成し、これを付着発給することを特徴とする。
【発明の効果】
【００１９】
本発明によれば、インターネット又はＡＲＳサービスを利用して各種有価証券（宝籤、馬券、公演券、商品券等）及び証明書類が使用者のコンピュータで直接発給されることにより、使用者等は時間及び場所に拘らず、便利に必要な発給サービスを利用することができる。さらに、使用者は有価証券及び証明書類に対する紛失及び毀損の恐れを抱かなくとも良く、自分の必要によって繰返しプリンティング、再発給して使用することができ、有価証券の所有権紛争問題を容易に解決することができる。
さらに、身分証明書、及び金融カードの不法的な偽、変造を遮断し、クレジットカードの盗難又は紛失に伴う経済的な被害を減らすことができる。
さらに、医療保険カードを通じた医療行為を虚偽報告して医療費を不法的に請求する医療機関を効果的に索出遮断することができる。
【発明を実施するための最良の形態】
【００２０】
図１に示した通り、有価証券の発給及び流通システムはインターネット（１３０）又はＡＲＳを通じて有価証券発給サービスを提供する有価証券発行システム（１００）と、電話局のＡＲＳシステム（１２４）と、ＰＳＴＮ（１２０）等の通信網を通じて前記有価証券発行システム（１００）に連結される電話機（１２１）、無線端末機（１２２）及びＦＡＸ（１２３）と、インターネット（１３０）を通じて前記有価証券発行システム（１００）に連結される使用者コンピュータ端末機（１３１）と、有価証券受付システム（１６０）と、金融機関（１４５）等から成る。
【００２１】
前記有価証券発行システム（１００）はウェブ上又はＡＲＳサービスを通じて使用者に有価証券を発給し、これに対する真偽如何を前記有価証券受付システム（１６０）に認証するサービスシステムにして、システムに有価証券発行に必要な各種ウェブページを提供し、使用者から有価証券発行及び認証のため、必要な所定の情報を入手するウェブサーバ（１０１）と、前記電話局のＡＲＳシステム（１２４）と連係され、有価証券発行のための音声メッセージを使用者に提供し、有価証券発行及び認証のために必要な所定の情報を入手するＡＲＳサーバ（１０２）と、ＤＢサーバ（１１０）と、通信モデム、処理手段、データ管理システムのような基本的なハードウェア手段を具備する。
【００２２】
さらに、前記有価証券発行システム（１００）は有価証券の発給及び認証のためのプログラム的な処理手段にして、有価証券及び使用者（所有権者）の識別に必要な所定の情報（使用者の氏名、住所、住民登録番号、有価証券固有番号、発行機関、発行時間、有効期間、発行目的等）を暗号化してダットコード、２Ｄバーコード等の形式で所定のコードを生成するコード生成モジュール（１０３）と、オンライン上の金融機関（１４５）を通じて、使用者からの有価証券代金を決済する決済処理モジュール（１０４）と、前記生成されたコードを含む有価証券を前記ＦＡＸ（１２３）又は使用者コンピュータ（又は使用者のＥ−ｍａｉｌ会員のウェブ計定に貯蔵）（１３１）を通じて、使用者に発給する有価証券発行モジュール（１０５）と、抽籤型有価証券に対する発給サービスをする場合、所定の抽籤方式で当籤者を選定管理する当籤者選定モジュール（１０６）と、前記有価証券受付システム（１６０）が有価証券の唯一性／所有権者に対する認証を要求するに従い、前記ＤＢサーバ（１１０）を通じて該当有価証券情報を確認の上、その正当性の如何を認証するコード認証モジュール（１０７）と、ウェブ及びＡＲＳ処理、会員管理等のためのその他の応用プログラム等を含む。前記ＤＢサーバ（１１０）は会員又は使用者情報ＤＢのみならず、発行された有価証券の真偽如何認証のために、必要な所定の使用者及び有価証券に対する情報、暗号コード情報を貯蔵管理する有価証券情報ＤＢ（１１１）、抽籤型有価証券の場合、当籤者及び当籤有価証券に対する識別情報、当籤額等に対する事項を貯蔵する当籤者ＤＢ（１１２）を含む。
【００２３】
使用者（所有権者）及び有価証券に対する識別情報としては、使用者の氏名、住民登録番号、住所、及びその他の人的事項、有価証券の種類、有価証券の固有番号、発行機関、発行日付、有効期間、発行目的等の情報が管理できる。
前記有価証券には宝籤、馬券、その他の幸運券等の抽籤型有価証券と、商品券、演劇／映画の観覧券、公演券、乗車券、その他のチケット等金銭で代替可能な各種無記名有価証券と、インターネット又はその他の通信網を利用して発給が可能な各種の有価証券が含まれる。
【００２４】
前記有価証券発行システム（１００）はこのような有価証券を自分のオンラインサービス形態によって、各個別分野別に又は複合的に発給サービスができる。
一方、使用者はＡＲＳサービスを通じて有価証券の発給を依頼する場合、電話機（１２１）、無線端末機（又は携帯電話）（１２２）を通じて前記ＡＲＳシステム（１２４）と連係されて、音声貯蔵又はボタンをクリックして有価証券発行及び認証のため、要求される所定の情報（使用者、人的事項、有価証券の種類及び発行目的、抽籤型有価証券である場合希望抽籤番号等）を前記ＡＲＳサーバ（１０２）に提供する。
さらに、インターネット上で有価証券の発給を依頼する場合、使用者は通信モデム、処理手段及び貯蔵手段と、ウェブブラウザー（１３２）を具備した端末機（１３１）通じて前記有価証券発行システム（１００）に接続して、前記のような有価証券発行及び認証に必要な所定の情報を伝送するようになる。これにより、前記有価証券発行システム（１００）は、発給依頼された有価証券を使用者のＦＡＸ（１２３）を通じて発給するか、又は使用者の会員ウェブ計定又はＥ−ｍａｉｌ計定に貯蔵発給することにより、使用資料がコンピュータ端末機（１３１）でダウンロードした後、プリンター（１３４）等を通じて必要に応じて使用できるようにする。
【００２５】
一方、前記有価証券受付システム（１６０）は使用者の用役又は財貨に対する消費代金として該当有価証券を受付けて、これに対する真偽如何又は当籤事実如何を前記有価証券発行システム（１００）と連係され確認した後、その代金又は当籤金を決済するための受付機関（又は業体）のコンピュータシステムである。このために、前記有価証券受付システム（１６０）は通信モデム、データ処理及び貯蔵手段と、有価証券に含まれた暗号コードを認識するためのコード認識手段（１６１）と、コード情報及び真偽如何を受付者に表示する表示手段（１６５）等のハードウェア的な装置を具備する。
【００２６】
さらに、前記有価証券受付システム（１６０）は前記コード認識手段を通じて認識されたコード内蔵情報を前記表示手段を通じて表示するためのコード情報表示モジュール（１６２）、前記有価証券発行システム（１００）と連係され、前記解読したコード情報（固有番号、使用者（所有権者）情報等）を伝送し、該当有価証券の真偽如何又は当籤事実如何を確認するコード確認モジュール（１６３）、正当な有価証券であるか、当籤有価証券である場合、該当金融機関を通じて消し使用者の消費代金を決済するか、その当籤金額を支払い処理するための決済処理モジュール（１６４）等の応用プログラム手段を含む。
前記有価証券受付システム（１６０）は受付ける有価証券の唯一性及び真偽如何を確認するために、別途構築される通信ネットワークの認証ネットワーク（１５０）を通じて前記有価証券発行システム（１００）と連結され、使用者に対する商品購入代金又は当籤金の決済のため、決済ネットワーク（１４０）を通じて該当金融機関（１４５）の口座に接続する。
【００２７】
このような有価証券のオンライン発行サービスを実行するにおいて、前記有価証券発行システム（１００）は最近施行時点にあるインターネット切手と結合して実行できる。
つまり、インターネット切手のコードに前記のような有価証券認証コード情報又は抽籤型有価証券に対する認証コード情報を共に暗号化し、インターネット切手を発行することにより、インターネット切手の活性化に寄与することができ、使用者の選択により郵便物の発送者又は受信者が前記有価証券（又は郵便物に含まれる有価証券）に対する所有権又は当籤権限を有するようにすることができる。
【００２８】
図２は前記のようなシステムを利用した各種有価証券の流通過程を示した流れ図である。図２に示した通り、先ず使用者はＡＲＳサービス、インターネット（１３０）、その他の通信網を利用して前記有価証券発行システム（１００）に接続する。（Ｓ２０１）
さらに、使用者は有価証券の発行及び認証のため、要求される所定の使用者情報（氏名、住所、住民登録番号、Ｅ−ｍａｉｌ住所、ＦＡＸ番号、電話番号等）、発行する有価証券の種類及び発行目的、抽籤型有価証券の場合、希望する抽籤番号等を入力して該当有価証券の発行を依頼する（２０２）。これに従い、前記有価証券発行システム（１００）は所定の代金決済方式で該当有価証券発行に対する代金を決済した後、（Ｓ２０３）前記使用者の入力情報中、真偽如何確認のため必要な主要事項と該当有価証券の種類、固有番号、発行機関、発行日付、有効期間、発行日的等をドットコード、２Ｄバーコード等の形式で暗号化してコードを生成する。（Ｓ２０４）
【００２９】
さらに、前記コードが含まれた有価証券を発行した後、使用者の要求により前記ＦＡＸ（１２３）を通じて使用者に発給するか、該当有価証券に対するデータを使用者の会員ウェブ計定又はＥ−ｍａｉｌ計定等で伝送貯蔵することにより、使用者は自分のコンピュータシステム（１３１）でダウンロードして必要に応じてプリンティング出力してこれを使用するようになる。（Ｓ２０５）
一方、抽籤型有価証券の場合、前記有価証券発行システム（１００）は所定の方式により当籤者を抽籤した後、これに対する事実をインターネットのホームページ又は使用者のＥ−ｍａｉｌ、  電話等を通じて知らせることにより、使用者がその当籤如何及び当籤内容及び当籤内容を確認できるようにする。（Ｓ２０６）さらに、有価証券の所有者は財貨又は用役に対する消費代金の決済手段として、前記出力された有価証券を有価証券受付機関（又は業体）に提示するか、抽籤型有価証券の当籤者はその当籤金額の支払いを受けるため、前記コード認識手段を具備した郵便局又は金融機関等にその有価証券を提示するようになる。（Ｓ２０７）
【００３０】
これにより、前記有価証券受付システム（１６０）はコード認識手段（１６１）を通じて有価証券に含まれたコード情報を認識解読する。（Ｓ２０８）さらに、前記有価証券発行システム（１００）にその固有番号、発行情報、及び使用者情報を伝送して前記有価証券に対する唯一性又は真偽如何を確認し、さらに前記コード認識情報と有価証券の文字記載事項を相互比較することにより、その偽／変造如何を判断するようになる。（Ｓ２０９）
【００３１】
前記（Ｓ２０９）段階を通じて前記有価証券が正当でないと判別される場合、受付者は有価証券を受け付けず、使用者に所定の法的制裁を加えることができる。（Ｓ２１０）
正当な有価証券に判別されると、前記有価証券受付システム（１６０）は使用者の財貨又は用役に対する消費代金を決済するか、抽籤型有価証券に対しては、該当当籤金を支払うようになる。（Ｓ２１１）
【００３２】
前記有価証券等の内演劇、ライブ、劇場等に対する公演券のようにその使用場所及び使用時間が特定して定められる場合、前記有価証券受付システム（１６０）は前記有価証券発行システム（１００）より発行された有価証券に対する情報（使用者情報、有価証券識別情報等）をダウンロードしてデータベース化し、これを通じて有価証券の真偽如何認証することにより、ウェブサーバに対する負荷量を減らし、処理時間の短縮を図ることができる。
【００３３】
一方、図３は本発明に伴う各種証明書の発給及びシステムに対する概略的な構成を示したブロック図であり、図４はこのようなシステムを利用した各種証明書の流通方法を示した流れ図である。
図３に示した通り、各種証明書の発給及びシステムは証明書発行システム（３００）と、証明書受付システム（３５０）と、電話局のＡＲＳシステム（１２４）と、インターネット網（３２０）、決済ネットワーク（３４０）及び金融機関（３４５）及び使用者が証明書を発給依頼するか、これを出力するための手段として、電話機（３２１）又は無線端末機（３２２）、又はコンピュータ端末機（３３１）と、ＦＡＸ（３２３）又はプリンター（３３３）等を含めて成される。
【００３４】
前記証明書発行システム（３００）は学校、役所、機関等と連係して実行するか、学校、役所等が直接オンライン上で証明書発給サービスを実行するためのサーバシステムとして、通信モデム及びデータ処理手段と、インターネットを通じて使用者に証明書発行サービスを提供するウェブサーバ（３０１）、前記ＡＲＳシステム（３２４）と連係されて使用者に証明書発行ＡＲＳサービスを提供するＡＲＳサーバ（３０２）、ＤＢサーバ（３１０）等のハードウェア的装備を具備する。
前記ＤＢサーバ（３１０）は前記証明書発行システム（３００）のサービス事項により、学生又は市民等に対する各種証明情報をデータベース化して管理する証明書類ＤＢ（３１１）と、発行された証明書類に対する情報（使用者情報、証明書固有番号、発行日付、発行目的等）を貯蔵管理する発行情報ＤＢ（３１２）を含む。
【００３５】
さらに、前記証明書発行システム（３００）は使用者（所有権者）の識別情報と証明書の主要事項に対する情報を暗号コード化するコード生成モジュール（３０３）、該当証明書に対する発給代金をオンライン上の金融機関（３４５）及び決済ネットワーク（３４０）を通じて使用者から決済処理する決済処理モジュール（３０４）、前記生成されたコードを含む証明書を使用者の要求に従い、ＦＡＸ（３２３）、使用者の会員ウェブ計定、又はＥ−ｍａｉｌ等を通じて発給する証明書発行モジュール（３０５）前記発行情報ＤＢ（３１２）を参考に前記証明書受付システムに受付けられた証明書に対する所有権者及びその証明内容を認証する証明書認証モジュール（３０６）、その他ウェブ及びＡＲＳ処理のためのプログラムモジュールを含む。
【００３６】
さらに、前記証明書発行システム（３００）はオンライン上の金融機閑に証明書発行に代金決済口座を設け決済ネットワーク（３４０）を通じて使用者からの入金額を決済処理する。
前記証明書としては、その発行機関又はサービス分野によって、住民登録謄／抄本、印鑑証明、土地／建物関連証明、納税証明、経歴証明、卒業／学位取得証明、成績証明等一切の全ての証明文書が含まれる。
さらに、使用者は図１に基づき説明された通り、電話機（３２１）又は無線端末機（３２２）を利用してＰＳＴＮ（３２０）等の公衆電話網を通じて、前記ＡＲＳサーバ（３０２）又はＡＲＳシステム（３２４）と連結され前記証明書発行システム（３００）に証明書発給を依頼したか、コンピュータ端末機（３３１）又はモバイルインターネット無線端末機（３２２）を利用してインターネット（３３０）を通じて必要な証明書の発給を依頼することができる。
【００３７】
使用者は、証明書の出力手段として、ＰＳＴＮ（３２０）を通じて前記証明書発行システム（３００）と連結されるＦＡＸ（３２３）、又は前記コンピュータ端末機（３３１）と連結されたプリンター（３３３）を具備する。
前記証明書受付システム（３５０）は使用者から必要な証明書を受付ける一般企業体、機関、学校、役所等のコンピュータシステムとして証明書に含まれたコードを認識してその暗号情報を解読するためのコード認識手段（３５１）と、前記解読されたコード情報（使用者情報、証明内容情報、発行日付等）を受付者に表示するためのコード情報表示モジュール（３５２）と、前記コード情報主要事項（使用者、主要証明内容等）を前記証明書発行システム（３００）に伝送し、その真偽如何を確認する真偽如何確認モジュール（３５４）と、表示手段（３５３）を含む。
【００３８】
一方、前記のような証明書流通システムを利用した各種証明書の流通及び認証過程は、図４に示した通り、使用者がＡＲＳサービス、インターネット（３３０）、その他通信網を通じて前記証明書発行システム（３００）に接続した後、（Ｓ４０１）所定の個人人的事項（氏名、住民登録番号または学番、住所、Ｅ−ｍａｉｌ、ＦＡＸ番号等）と必要な証明書に対するその種類及び使用目的、出力手段選択（ＦＡＸ，Ｅ−ｍａｉｌ、ウェブ計定等）等を入力して該当証明書の発給を依頼する。（Ｓ４０２）
【００３９】
さらに、前記証明書発行システム（３００）は所定の決済方式で使用者から該当証明書に対する発給代金を決済する。（Ｓ４０３）  代金決済が成されると、前記証明書発行システム（３００）は使用者識別情報（使用者氏名、住民登録番号又は学番等）及び証明情報（主要証明事項、発行日付、使用目的等）をドットコード、２Ｄバーコード等の形式で暗号化しコードを生成使用者、（Ｓ４０４）前記生成されたコードを該当証明書に含めて、使用者が選択した出力手段（ＦＡＸ，Ｅ−ｍａｉｌ、ウェブ計定）で直接発給するようになる。（Ｓ４０５）
これにより、使用者は前記証明書をＦＡＸ（３２３）、又はプリンター（３３３）を通じて出力して証明書の提出を要求した機関又は会社等の証明書受付処に提出するようになる。（Ｓ４０６）
【００４０】
さらに、前記証明書受付システム（３５０）は前記コード認識手段（３５１）を通じて、証明書に含まれたコード内容を認識解読した後、（Ｓ４０７）その主要情報（使用者及び証明内容）を前記証明書発行システムに伝送し、その真偽如何を確認して、さらに、コード情報を表示し受付者をして証明書に文字で記載される使用者及び証明内容事項の真偽如何を確認できるようにする。（Ｓ４０８）
【００４１】
この際、受付者は前記証明書発行システムを通じて正当でない証明に判別されるか、コード情報と文字記載事項が相互一致しない場合、該当証明書を不法造作したものと判断して、非受付又は所定の制裁をとることができ、（Ｓ４０９）正当であると判断される場合には該当証明書を受付処理するようになる。（Ｓ４１０）
【００４２】
一方、図５は認証コードを具備した金融カード流通システムに対する概略的な構成を示したブロック図である。
図５に示した通り、本発明に伴う金融カード流通システムはカード発給システム（５００）と、カード受付システム（５５０）で構成され、使用者のカードに対する真偽如何を確認するために前記カード発給システム（５００）と前記カード受付システム（５５０）が認証ネットワーク（５３０）を通じて相互連係され、決済ネットワーク（５４０）及びオンライン上の金融機関（５４５）を通じて使用者のカード代金決済処理するようになる。使用者はインターネット（５１０）等のオンラインを通じて前記カード発給システム（５００）で自分の個人身の上情報及び生体情報データを伝送するかオフラインを通じて個人情報及び生体情報を提供し、該当金融カードの発給を依頼するようになる。
【００４３】
前記生体情報は使用者を固有に識別するための手段にして、顔に対する映像情報、指紋、紅彩、音声等がなり得る。前記カード発給システム（５００）は使用者識別及びカード認証／決済のために必要な所定の情報（使用者身の上情報及び生体情報、カード固有番号、カード発給機関、決済処理金融機関、決済口座等）を暗号コード化するコード生成モジュール（５０２）と、前記コードを含む金融カードを制作してこれを使用者に配達発給するカード発給モジュール（５０３）と、前記カード受付システム（５５０）と連係され、カードの正当性如何を認証するコード認証モジュール（５０４）等のプログラムモジュールと、ＤＢサーバ（５２０）を具備する。
前記ＤＢサーバ（５２０）は使用者のオンライン金融口座に対する情報を管理する使用者口座ＤＢ（５２１）と、発給された金融カードに対する情報（使用者身の上情報及び生体情報、カード固有番号等）を貯蔵管理するカード情報ＤＢ（５２２）を含む。
【００４４】
さらに、前記カード発給システム（５００）はウェブサーバ（５０１）を具備し、インターネット上で使用者にカード発給サービスを提供し、これを通じて使用者から発給依頼情報、使用者情報、及び使用者生体情報を入手することができる。
使用者は前記のような認証コードが付着された金融カードを受領し、これを消費代金に対する決済手段として使用するようになる。
【００４５】
さらに、前記カード受付システム（５５０）は使用者が提出した金融カードのコード情報を認識するためのカード認識手段（５５１）と、使用者から彼の指紋、音声等の生体情報を直接入手して認識する生体情報認識手段（５５６）と、前記コード情報を解読し、その内蔵された使用者情報（氏名、住民登録番号、生体情報）、カード固有番号等を表示するための、コード情報表示モジュール（５２２）、前記コード情報を前記カード発給システム（５００）に伝送して前記受付けられた金融カードの正当性／唯一性如何を確認するコード確認モジュール（５５３）、前記生体情報認識手段（５５６）から直接入手される使用者生体情報と前記コード情報として、内蔵された生体情報を相互比較してその正当性如何を判断する生体情報認証モジュール（５５７）、前記コード確認モジュール（５５３）と前記生体情報認証モジュール（５５７）を通じて正当なカードとして判別されることにより、その使用代金を決済処理する決済処理モジュール（５５４）等のプログラムモジュールと、表示手段（５５５）を具備する。
【００４６】
従って、カード受付け者は前記カード発給システム（５００）と連係され、そのコード及び使用者の正当性如何を判断する方法、指紋、紅彩、音声等の生体情報を通じて確認する方法、コードに内蔵される使用者画像情報と使用者を直接対面比較する方法を利用することができることにより、金融カードの盗難／紛失又は造作による不法的な使用を効果的に遮断できる。
一方、住民登録証、自動車免許証、旅券等のような身分証明書の場合にも発行機関が身分証明書に使用者の氏名、住所、及び住民登録番号、カード固有番号等と使用者の画像情報又は生体情報を暗号コード化した後、コードを身分証明書に蒸着提供することにより、使用者の身分確認を迅速に処理できるばかりでなく偽／変造が遮断できる。さらに、医療保険カードに対する不法使用を遮断するために、医療保険管理公団等の医療保険カード発給機関はその使用者情報、カード固有番号、カードバージョン情報（アップグレードバージョン情報及びその使用有効期間等）を暗号コード化した後、これを医療保険カードに付着発給する。さらに、随時バージョンをアップグレードして更新されたコードをインターネット又は、郵便等を通じて発給し、使用者をして前記更新コードを付着使用するようにし、既存のバージョンコードを無効化することにより既存のバージョンコード情報を利用して医療費を請求する医療機関を不法者として判断して索出するようになる。
本発明は上述した実施例に局限されず本発明の技術思想が許容する範囲内で多様に変形して実施することができる。
【産業上の利用可能性】
【００４７】
前記の通り成される本発明によれば、インターネット又はＡＲＳサービスを利用して各種有価証券（宝籤、馬券、公演券、商品券等）及び証明書類が使用者のコンピュータで直接発給されることにより、使用者等は時間及び場所に拘らず、便利に必要な発給サービスを利用することができる。さらに、使用者は有価証券及び証明書類に対する紛失及び毀損の恐れを抱かなくとも良く、自分の必要によって繰返しプリンティング、再発給して使用することができ、有価証券の所有権紛争問題を容易に解決することができる。
さらに、身分証明書、及び金融カードの不法的な偽、変造を遮断し、クレジットカードの盗難又は紛失に伴う経済的な被害を減らすことができる。
さらに、医療保険カードを通じた医療行為を虚偽報告して医療費を不法的に請求する医療機関を効果的に索出遮断することができる。
【図面の簡単な説明】
【００４８】
【図１】本発明に伴う各種有価証券の発給及び偽／変造防止システムに対する概略的な構成を示したブロック図である。
【図２】本発明に伴う通信ネットワークを通じて発給される各種の有価証券の流通過程を示した流れ図である。
【図３】本発明に伴う各種証明書の発給及び偽／変造防止システムに対する概略的な構成を示したブロック図である。
【図４】本発明に伴う通信ネットワークを通じて発給される各種証明書の流通過程を示した流れ図である。
【図５】本発明に伴う認証コードを具備した金融カードの流通システムに対する概略的な構成を示したブロック図である。
【符号の説明】
【００４９】
１００    有価証券発行システム
１０１    ウェブサーバ
１０２    ＡＲＳサーバ
１０３    コード生成モジュール
１０４    決済処理モジュール
１０５    有価証券発行モジュール
１０６    当籤者選定モジュール
１０７    コード認証モジュール
１１０    ＤＢサーバ
１１１    有価証券情報ＤＢ
１１２    当籤者ＤＢ
１２０    ＰＳＴＮ
１２１    電話機
１２２    無線端末機
１２３    ＦＡＸ
１２４    ＡＲＳシステム
１３０    インターネット
１３１    使用者コンピュータ端末機
１３２    ウェブブラウザー
１３４    プリンター
１４０    決済ネットワーク
１４５    金融機関
１５０    認証ネットワーク
１６０    有価証券受付システム
１６１    コード認証手段
１６４    決済処理モジュール
１６５    表示手段
３００    証明書発行システム
３０１    ウェブサーバ
３０２    ＡＲＳサーバ
３０３    コード生成モジュール
３０４    決済処理モジュール
３０５    証明書発行モジュール
３０６    証明書認証モジュール
３１０    ＤＢサーバ
３１１    証明書類ＤＢ
３１２    発行情報ＤＢ
３２０    インターネット網
３２１    電話機
３２２    無線端末機
３２３    ＦＡＸ
３２４    ＡＲＳシステム
３３０    インターネット
３３１    コンピュータ端末機
３３３    プリンター
３４０    決済ネットワーク
３４５    金融機関
３５０    証明書受付システム
３５１    コード認識手段
３５２    コード情報表示モジュール
３５３    表示手段
３５４    真偽如何確認モジュール
５００    カード発給システム
５０２    コード生成モジュール
５０３    カード発給モジュール
５０４    コード認証モジュール
５１０    インターネット
５２０    ＤＢサーバ
５２１    使用者口座ＤＢ
５２２    情報ＤＢ
５３０    認証ネットワーク
５４０    決済ネットワーク
５４５    金融機関
５５０    カード受付システム
５５１    カード認識手段
５５３    コード確認モジュール
５５４    決済処理モジュール
５５５    表示手段
５５６    生体情報認識手段
５５７    生体情報認証モジュール
【図１】
2004526235.tif 000003
【図２】
2004526235.tif 000004
【図３】
2004526235.tif 000005
【図４】
2004526235.tif 000006
【図５】
2004526235.tif 000007
【国際公開パンフレット】
2004526235.tif 000008
2004526235.tif 000009
2004526235.tif 000010
2004526235.tif 000011
2004526235.tif 000012
2004526235.tif 000013
2004526235.tif 000014
2004526235.tif 000015
2004526235.tif 000016
2004526235.tif 000017
2004526235.tif 000018
2004526235.tif 000019
2004526235.tif 000020
2004526235.tif 000021
2004526235.tif 000022
2004526235.tif 000023
2004526235.tif 000024
2004526235.tif 000025
2004526235.tif 000026
2004526235.tif 000027
2004526235.tif 000028
2004526235.tif 000029
2004526235.tif 000030
2004526235.tif 000031
2004526235.tif 000032
【国際調査報告】
2004526235.tif 000033